(57)【要約】【課題】夏期等の暑い時期に浴室の換気を行なう際、使用者の手を煩わせることがないように操作性を向上すること。【解決手段】熱源機リモコン１の自動スイッチ２０を押下すると自動スイッチ判定手段３１により自動スイッチ２０が押下されたことを検出する。換気運転連動手段７が浴室暖房機３が接続されていると認識している場合に、浴室暖房運転開始の指示を浴室暖房機通信手段６を介して浴室暖房機制御装置８に通信する。浴室暖房機制御装置８は浴室暖房機リモコン２に換気運転開始の信号を出力し、浴室暖房機３の換気運転を開始させる。これによって、浴室暖房機リモコン２の操作をせずに熱源機リモコン１の自動スイッチ２０を操作するだけで、浴室暖房機３の換気運転を開始することができる。【選択図】　図１
2004138355.tif 000002
【特許請求の範囲】
【請求項１】
浴槽と、給湯用熱交換器と、該浴槽に前記給湯用熱交換器からの湯を注湯する注湯電磁弁を有した熱源機と、前記熱源機を操作する熱源機リモコンと、前記熱源機リモコンに設けられ前記浴槽に湯張りを指示する自動スイッチと、前記熱源機リモコンと通信する熱源機リモコン通信手段と、浴室を換気する浴室暖房機と、該浴室暖房機と通信する浴室暖房機リモコン通信手段と、前記熱源機リモコンのスイッチ操作に連動し前記浴室暖房機リモコン通信手段に前記浴室暖房機の運転を指示する換気運転連動手段と、前記熱源機リモコン通信手段により前記自動スイッチのオン・オフを判定する自動スイッチ判定手段を備えた給湯機の制御装置。
【請求項２】
浴槽の湯を加熱する風呂熱交換器と、前記浴槽の湯を循環させる循環ポンプと、熱源機リモコンに設けられ前記浴槽の湯の加熱を指示する追いだきスイッチと、熱源機リモコン通信手段により前記追いだきスイッチのオン・オフを判定する追いだきスイッチ判定手段を備えた請求項１記載の給湯機の制御装置。
【請求項３】
熱源機リモコンに設けられ浴槽への給湯を指示する足し湯スイッチと、熱源機リモコン通信手段により前記足し湯スイッチのオン・オフを判定する足し湯スイッチ判定手段を備えた請求項１記載の給湯機の制御装置。
【請求項４】
熱源機リモコンに設けられ浴槽への給水を指示するぬるめスイッチと、熱源機リモコン通信手段により前記ぬるめスイッチのオン・オフを判定するぬるめスイッチ判定手段を備えた請求項１記載の給湯機の制御装置。
【請求項５】
浴槽の水圧を検出する水位センサーと、前記水位センサーによって前記浴槽に人が入ったことを検出する人はいり検出手段を備えた請求項１記載の給湯機の制御装置。
【発明の詳細な説明】
【０００１】
【発明の属する技術分野】
本発明は主として家庭用給湯機の制御装置に関するものである。
【０００２】
【従来の技術】
従来の浴室暖房システムにおいては、風呂運転に連動して、浴室乾燥機を働かせたり、浴室床暖房器の暖房運転を行なわせたりする機能があった（例えば特許文献１参照）。
【０００３】
【特許文献１】
特開２００２−１２２３３２公報
【０００４】
【発明が解決しようとする課題】
しかしながら、風呂運転に連動して浴室乾燥機や浴室床暖房器の暖房運転を行なわせるだけでは、夏期等の暑い時期には使用できない。また、浴室を換気する際には、熱源機リモコンのふろスイッチと浴室暖房機リモコンの換気スイッチが別々に存在するため、風呂運転スイッチと、別に浴室暖房リモコンの換気スイッチを押下する必要があるため操作性が悪く使用者の手を煩わせるという課題があった。
【０００５】
本発明は、上記課題を解決するもので、浴室乾燥機の運転や室床暖房器の暖房運転をすることなく、夏期等の暑い時期でも浴室暖房機の換気機能を自動湯張り時や、入浴中に使用するスイッチ操作やあるいは浴槽に人が入ったことを検出することによって、使用者の手を煩わせることなく浴室の換気ができるようにすることを目的とする。
【０００６】
【課題を解決するための手段】
本発明は、給水からの水を湯に換える熱交換器と、前記熱交換器から浴槽に湯を注湯する注湯電磁弁と、前記熱交換器と注湯電磁弁を有する熱源機と、前記熱源機に人が操作して指示する熱源機リモコンと、前記熱源機リモコン内に浴槽に湯張りを指示する自動スイッチと、前記熱源機リモコンと通信を行う熱源機リモコン通信手段と、浴室を換気させる浴室暖房機と通信する浴室暖房機通信手段と、前記熱源機リモコンのスイッチ操作に連動し前記浴室暖房機通信手段に浴室暖房機の運転を指示する換気運転連動手段と、前記熱源機リモコン通信手段により自動スイッチのオン・オフ判定をおこなう自動スイッチ判定手段を備えたものである。
【０００７】
本発明によれば、自動湯張り時や入浴中に使用する操作あるいは、浴槽に人が入ったことを検出して使用者の手を煩わせることなく浴室の換気を開始することが出来る。
【０００８】
【発明の実施の形態】
本発明の請求項１記載の発明は、給水からの水を湯に換える熱交換器と、前記熱交換器から浴槽に湯を注湯する注湯電磁弁と、前記熱交換器と注湯電磁弁を有する熱源機と、前記熱源機に人間が操作する指示を伝える熱源機リモコンと、前記熱源機リモコン内に浴槽に湯張りを指示する自動スイッチと、前記熱源機リモコンと通信を行う熱源機リモコン通信手段と、浴室を換気させる浴室暖房機と通信する浴室暖房機通信手段と、前記熱源機リモコンのスイッチ操作に連動し前記浴室暖房機通信手段に浴室暖房機の運転を指示する換気連動手段と、前記熱源機リモコン通信手段により自動スイッチのオン・オフ判定をおこなう自動スイッチ判定手段を備えた制御装置である。本発明によれば使用者の手を煩わせることなく浴室の換気を開始することが出来る。
【０００９】
また、請求項２記載の発明は、さらに浴槽内の湯を加熱する熱交換器と、前記浴槽内の湯を循環させる循環ポンプと、前記熱源機リモコン内に浴槽内の湯の加熱を指示する追いだきスイッチと、前記熱源機リモコン通信手段により追いだきスイッチのオン・オフ判定をおこなう追いだきスイッチ判定手段を備えた制御装置である。
【００１０】
また、請求項３記載の発明は、さらに前記熱源機リモコン内に浴槽に所定の湯を加える指示する足し湯スイッチと、前記熱源機リモコン通信手段により足し湯スイッチのオン・オフ判定をおこなう足し湯スイッチ判定手段を備えた制御装置である。
【００１１】
また、請求項４記載の発明は、前記熱源機リモコン内に浴槽に所定の水を加えることを指示するぬるめスイッチと、前記熱源機リモコン通信手段によりぬるめスイッチのオン・オフ判定をおこなうぬるめスイッチ判定手段を備えた制御装置である。
【００１２】
また、請求項５記載の発明は、浴槽内の水圧を配管を通して検出する水位センサーと、前記水位センサーより浴槽に人が入ったことを検出する人はいり検出手段を備えた制御装置である。
【００１３】
【実施例】
以下、本発明の給湯機の制御装置における実施例について説明する。
【００１４】
（実施例１）
図１、図２は、本発明の実施例１としての給湯機の構成図である。また図３は、暖房運転連動手段のフローチャートである。１は熱源機リモコンで、熱源機と通信を行い自動湯張り、追いだき等の操作指示を行うものである。２は浴室暖房機リモコンで、浴室暖房機３と通信を行い暖房、換気の操作指示を行うものである。
【００１５】
また、３は浴室暖房機で浴室の暖房および換気を行うものである。４は熱源機制御手段で、熱源機リモコン通信手段５と浴室暖房機通信手段６と換気運転連動手段７を有するものである。５は熱源機リモコン通信手段で、熱源機リモコン１との通信を行うものである。６は浴室暖房機通信手段で、浴室暖房機３との通信を行うものである。７は換気運転連動手段であり、浴室暖房機が熱源機制御装置４と接続されている場合に、浴室暖房機３の換気運転させるか、停止させるかの判断を行って、浴室暖房機通信手段６に指示する。８は浴室暖房機制御装置で浴室暖房機リモコン２との通信や熱源機９と通信し、暖房運転の指示を送信したり、熱源機９から暖房運転の指示を受信したりする。１０は給湯熱交換器で水を湯に換える。
【００１６】
また、１１はふろ熱交換器で浴槽１９の湯を循環ポンプ１６を回転させることで、循環される湯を加熱し暖かい湯を浴槽１９に供給する。２０は自動スイッチで、熱源機リモコンから操作することで熱源機９は浴槽１９に湯張りを行こなう。２１は追いだきスイッチで、浴槽１９の湯がぬるい場合に熱源機リモコンから操作することで熱源機９は浴槽１９の湯を加熱させる。２２は足し湯スイッチで、浴槽１９の湯が少ない場合に熱源機リモコンから操作することで熱源機９は浴槽１９に所定量の湯を張る。２３はぬるめスイッチで、浴槽１９の湯があつい場合に熱源機リモコンから操作することで熱源機９は浴槽１９に所定量の水を張る。３０は人はいり検出手段で、水位センサー１３の変動を検出し、人間が浴槽１９に入ったかどうかの検出を行い換気運転連動手段７に伝える。３１は自動スイッチ判定手段で、熱源機リモコン１の自動スイッチ２０のオン／オフの検出を行う共に、浴室暖房機３を運転させるか否かの判断を行う。３２は追いだきスイッチ判定手段で、熱源機リモコン１の追いだきスイッチ２１のオン／オフの検出を行う共に、浴室暖房機３を運転させるか否かの判断を行う。３３は足し湯スイッチ判定手段で、熱源機リモコン１の足し湯スイッチ２２のオン／オフの検出を行う共に、浴室暖房機３を運転させるか否かの判断を行う。３４はぬるめスイッチ判定手段で、熱源機リモコン１のぬるめスイッチ２３のオン／オフの検出を行う共に、浴室暖房機３を運転させるか否かの判断を行う。
【００１７】
次に、本実施例の動作について説明する。熱源機リモコン１の自動スイッチ２０をオンすると浴槽１９へ湯張りを開始する。この際、自動スイッチ判定手段３１により自動スイッチ２０がオンされたことを検出すると、換気運転連動手段７が浴室暖房機３が接続されていると認識している場合に、換気運転開始の指示を浴室暖房機通信手段６を介して浴室暖房機制御装置８に通信する。浴室暖房機制御装置８は浴室暖房機リモコン２に換気運転開始の指示を出し、浴室暖房機３の換気運転を開始させる。このようにすることで使用者は、浴室暖房機リモコン２の操作をせずに熱源機リモコン１の自動スイッチ２０を操作するだけで、浴室暖房機３の換気運転を開始することができる。
【００１８】
（実施例２）
熱源機リモコン１の追いだきスイッチ２１をオンすると循環ポンプ１６を回転させ、浴槽１９内の湯を循環するとともに、ふろ熱交換器１１により加熱した湯を浴槽１９へ供給する。この際、追いだきスイッチ判定手段３２により追いだきスイッチ２１がオンされたことを検出すると、換気運転連動手段７が浴室暖房機３が接続されていると認識している場合に、換気運転開始の指示を浴室暖房機リモコン通信手段６を介して浴室暖房機制御装置８に通信する。浴室暖房機制御装置８は浴室暖房機リモコン２に換気運転開始の指示を出し、浴室暖房機３の換気運転を開始させる。このようにすることで使用者は、浴室暖房機リモコン２の操作をせずに熱源機リモコン１の追いだきスイッチ２１を操作するだけで、浴室暖房機３の換気運転を開始することができる。
【００１９】
（実施例３）
熱源機リモコン１の足し湯スイッチ２２をオンすると浴槽１９へ所定湯量の湯張りを開始する。この際、足し湯スイッチ判定手段３３により足し湯スイッチ２２がオンされたことを検出すると、換気運転連動手段７が浴室暖房機３が接続されていると認識している場合に、換気運転開始の指示を浴室暖房機リモコン通信手段６を介して浴室暖房機制御装置８に通信する。浴室暖房機制御装置８は浴室暖房機リモコン２に換気運転開始の指示を出し、浴室暖房機３の換気運転を開始させる。このようにすることで使用者は、浴室暖房機リモコン２の操作をせずに熱源機リモコン１の足し湯スイッチ２２を操作するだけで、浴室暖房機３の暖房運転を開始することができる。
【００２０】
（実施例４）
熱源機リモコン１のぬるめスイッチ２３をオンすると浴槽１９へ所定湯量の水張りを開始する。この際、ぬるめスイッチ判定手段３４によりぬるめスイッチ２３がオンされたことを検出すると、換気運転連動手段７が浴室暖房機３が接続されていると認識している場合に、換気暖房運転開始の指示を浴室暖房機リモコン通信手段６を介して浴室暖房機制御装置８に通信する。浴室暖房機制御装置８は浴室暖房機リモコン２に換気開始の指示を出し、浴室暖房機３の暖房運転を開始させる。このようにすることで使用者は、浴室暖房機リモコン２の操作をせずに熱源機リモコン１のぬるめスイッチ２３を操作するだけで、浴室暖房機３の換気運転を開始することができる。
【００２１】
（実施例５）
浴槽１９に湯張りが完了している状態で、人間が入浴すると、水位センサー１３からの信号を人はいり検出手段３０が検出すると、換気運転連動手段７が浴室暖房機３が接続されていると認識している場合に、換気運転開始の指示を浴室暖房機通信手段６を介して浴室暖房機制御装置８に通信する。浴室暖房機制御装置８は浴室暖房機リモコン２に換気運転開始の指示を出し、浴室暖房機３の換気運転を開始させる。このようにすることで使用者は、浴室暖房機リモコン２の操作をせずに、浴室暖房機３の暖房運転を開始することができる。
【００２２】
【発明の効果】
以上の説明から明らかなように、請求項１記載の発明によれば、使用者が浴室暖房機リモコンの操作をせずに熱源機リモコンの自動スイッチを操作するだけで、浴室暖房機の換気運転を開始することができ、快適に入浴できる。
【００２３】
また、請求項２記載の発明は使用者が浴室暖房機リモコンの操作をせずに熱源機リモコンの追いだきスイッチを操作するだけで、浴室暖房機の換気運転を開始することができ、快適に入浴できる。
【００２４】
また、請求項３記載の発明は、使用者が浴室暖房機リモコンの操作をせずに熱源機リモコンの足し湯スイッチを操作するだけで、浴室暖房機の換気運転を開始することができ、快適に入浴できる。
【００２５】
また、請求項４記載の発明は、使用者が浴室暖房機リモコンの操作をせずに熱源機リモコンのぬるめスイッチを操作するだけで、浴室暖房機の換気運転を開始することができ、快適に入浴できる。
【００２６】
そしてまた、請求項５記載の発明は、使用者が浴槽にはいるだけで浴室暖房機リモコンの操作をせずに、浴室暖房機の換気運転を開始することができ、快適に入浴できる。
【図面の簡単な説明】
【図１】本発明の給湯機の制御装置の実施例を示す構成図
【図２】同制御装置の熱源機制御手段の詳細を示すブロック図
【図３】同制御装置の換気運転連動手段を説明するフローチャート
【符号の説明】
１　熱源機リモコン
２　浴室暖房機リモコン
３　浴室暖房機
５　熱源機リモコン通信手段
６　浴室暖房機リモコン通信手段
７　換気運転連動手段
１０　給湯熱交換器
１１　ふろ熱交換器
１２　注湯電磁弁
１６　循環ポンプ
２０　自動スイッチ
２１　追いだきスイッチ
２２　足し湯スイッチ
２３　ぬるめスイッチ
３０　人はいり検出手段
３１　自動スイッチ判定手段
３２　追いだきスイッチ判定手段
３３　足し湯スイッチ判定手段
３４　ぬるめスイッチ判定手段
【図１】
2004138355.tif 000003
【図２】
2004138355.tif 000004
【図３】
2004138355.tif 000005